(57)【要約】【課題】　携帯電話機を開いた状態において、より多くの文字情報量を表示可能とし、受信した長い文字情報を使用者が手間をかけずに読み取り可能とする。【解決手段】　第１の筐体２２および第２の筐体２３が折り畳まれている状態の時には、第２の筐体２３に設けられた凸部３６によりスイッチ２８がオンされ、選択回路２７は、第２表示器３１のみを駆動させる制御信号をＴＡＢ２６に出力し、ＴＡＢ２６は、第２表示器３１のみに駆動信号を出力し、表示可能とする。一方、第１の筐体２２および第２の筐体２３が開いている状態の時には、スイッチ２８がオフされ、選択回路２７は、第１表示器３０および第２表示器３１の双方を駆動させる制御信号をＴＡＢ２６に出力し、ＴＡＢ２６は、第１表示器３０および第２表示器３１の双方に駆動信号を出力し、表示可能とする。【選択図】　図３
2004048781.tif 000002
【特許請求の範囲】
【請求項１】
無線信号を受信する無線部と、互いに折り畳み可能な第１の筐体および第２の筐体とを有し、前記第１の筐体および前記第２の筐体のいずれかに、第１の表示器および第２の表示器がそれぞれ別の面に設けられており、前記第１の筐体および前記第２の筐体が折り畳まれている状態の時に前記第２の表示器が駆動され、
前記第１の筐体および前記第２の筐体が開いている状態の時に前記第１の表示器および前記第２の表示器が駆動されることを特徴とする無線通信機。
【請求項２】
前記第１の筐体にスイッチを設け、前記第２の筐体には前記スイッチをオンオフする凸部を設け、前記凸部により前記スイッチがオンされた時に前記第１の筐体および前記第２の筐体が折り畳まれていると判断し、前記凸部により前記スイッチがオフされた時に前記第１の筐体および前記第２の筐体が開いていると判断することを特徴とする請求項１記載の無線通信機。
【請求項３】
前記第２の表示器が、前記第１の筐体および前記第２の筐体が折り畳まれている状態の時に外側から見える位置に設けられていることを特徴とする請求項１記載の無線通信機。
【請求項４】
前記第１の表示器が前記第１の筐体および前記第２の筐体のいずれかの正面に設けられ、前記第２の表示器が前記正面に対する両側面のうち少なくとも一側面に設けられていることを特徴とする請求項１記載の無線通信機。
【請求項５】
前記第１の表示器は、前記第２の表示器を同時に見ることができる位置に設けられていることを特徴とする請求項４記載の無線通信機。
【請求項６】
前記正面と前記側面との筐体内部における角度が鈍角であることを特徴とする請求項４記載の無線通信機。
【請求項７】
前記第１の表示器および前記第２の表示器に電力の供給を行うＴＡＢを設け、前記スイッチのオンオフにより前記ＴＡＢが制御されることを特徴とする請求項２記載の無線通信機。
【請求項８】
前記凸部により前記スイッチがオンされた時に前記第２の表示器が発光され、前記凸部により前記スイッチがオフされた時に前記第１の表示器および前記第２の表示器が発光されることを特徴とする請求項２記載の無線通信機。
【請求項９】
前記第１の表示器および前記第２の表示器の発光がＥＬによって行われることを特徴とする請求項８記載の無線通信機。
【請求項１０】
前記第２の表示器に表示される情報は、前記スイッチのオンオフにより異なることを特徴とする請求項２記載の無線通信機。
【請求項１１】
前記無線通信機が、携帯電話機であることを特徴とする請求項２記載の無線通信機。
【請求項１２】
無線信号を受信する無線部と、互いに折り畳み可能な第１の筐体および第２の筐体とを有し、
前記第１の筐体および前記第２の筐体のいずれかに、第１の表示器，第２の表示器および第３の表示器が設けられており、前記第１の筐体および前記第２の筐体が折り畳まれている状態の時に前記第２の表示器および前記第３の表示器が駆動され、前記第１の筐体および前記第２の筐体が開いている状態の時に前記第１の表示器，前記第２の表示器および前記第３の表示器が駆動されることを特徴とする無線通信機。
【請求項１３】
前記第１の筐体にスイッチを設け、前記第２の筐体には前記スイッチをオンオフする凸部を設け、前記凸部により前記スイッチがオンされた時に前記第１の筐体および前記第２の筐体が折り畳まれていると判断し、前記凸部により前記スイッチがオフされた時に前記第１の筐体および前記第２の筐体が開いていると判断することを特徴とする請求項１２記載の無線通信機。
【請求項１４】
前記第２の表示器および前記第３の表示器が、前記第１の筐体および前記第２の筐体が折り畳まれている状態の時に外側から見える位置に設けられていることを特徴とする請求項１２記載の無線通信機。
【請求項１５】
前記第１の表示器が前記第１の筐体および前記第２の筐体のいずれかの正面に設けられ、前記第２の表示器および前記第３の表示器が前記正面に対する両側面のうち少なくとも一側面に設けられていることを特徴とする請求項１２記載の無線通信機。
【請求項１６】
前記第１の表示器は、前記第２の表示器および前記第３の表示器を同時に見ることができる位置に設けられていることを特徴とする請求項１５記載の無線通信機。
【請求項１７】
前記正面と前記側面との筐体内部における角度が鈍角であることを特徴とする請求項１５記載の無線通信機。
【請求項１８】
前記第１の表示器，前記第２の表示器および前記第３の表示器に電力の供給を行うＴＡＢを設け、前記スイッチのオンオフにより前記ＴＡＢが制御されることを特徴とする請求項１３記載の無線通信機。
【請求項１９】
前記凸部により前記スイッチがオンされた時に前記第２の表示器および前記第３の表示器が発光され、前記凸部により前記スイッチがオフされた時に前記第１の表示器，前記第２の表示器および前記第３の表示器が発光されることを特徴とする請求項１３記載の無線通信機。
【請求項２０】
前記第１の表示器，前記第２の表示器および前記第３の表示器の発光がＥＬによって行われることを特徴とする請求項１９記載の無線通信機。
【請求項２１】
前記第２の表示器および前記第３の表示器に表示される情報は、前記スイッチのオンオフにより異なることを特徴とする請求項１３記載の無線通信機。
【請求項２２】
前記無線通信機が、携帯電話機であることを特徴とする請求項１３記載の無線通信機。
【請求項２３】
無線信号を受信する無線部と、互いに折り畳み可能な第１の筐体および第２の筐体とを有し、前記第１の筐体および前記第２の筐体のいずれかに、第１の表示器および第２の表示器がそれぞれ別の面に設けられており、前記第２の表示器が、前記第１の筐体および前記第２の筐体が折り畳まれている状態の時に外側から見える位置に設けられていることを特徴とする無線通信機。
【請求項２４】
無線信号を受信する無線部と、互いに折り畳み可能な第１の筐体および第２の筐体とを有し、前記第１の筐体および前記第２の筐体のいずれかに、第１の表示器，第２の表示器および第３の表示器が設けられており、前記第２の表示器および前記第３の表示器が、前記第１の筐体および前記第２の筐体が折り畳まれている状態の時に外側から見える位置に設けられていることを特徴とする無線通信機。
【請求項２５】
第１の筐体および第２の筐体から構成され、前記第１の筐体および前記第２の筐体のいずれかに、第１の表示器および第２の表示器がそれぞれ別の面に設けられており、前記第１の筐体および前記第２の筐体が折り畳まれている状態の時に前記第２の表示器が駆動され、前記第１の筐体および前記第２の筐体が開いている状態の時に前記第１の表示器および前記第２の表示器が駆動されることを特徴とする無線通信機の表示構造。
【請求項２６】
第１の筐体および第２の筐体から構成され、前記第１の筐体および前記第２の筐体のいずれかに、第１の表示器，第２の表示器および第３の表示器が設けられており、前記第１の筐体および前記第２の筐体が折り畳まれている状態の時に前記第２の表示器および第３の表示器が駆動され、前記第１の筐体および前記第２の筐体が開いている状態の時に前記第１の表示器，前記第２の表示器および前記第３の表示器が駆動されることを特徴とする無線通信機の表示構造。
【請求項２７】
第１の筐体および第２の筐体から構成され、前記第１の筐体および前記第２の筐体のいずれかに、第１の表示器および第２の表示器がそれぞれ別の面に設けられており、前記第２の表示器が、前記第１の筐体および前記第２の筐体が折り畳まれている状態の時に外側から見える位置に設けられていることを特徴とする無線通信機の表示構造。
【請求項２８】
第１の筐体および第２の筐体から構成され、前記第１の筐体および前記第２の筐体のいずれかに、第１の表示器，第２の表示器および第３の表示器が設けられており、前記第２の表示器および前記第３の表示器が、前記第１の筐体および前記第２の筐体が折り畳まれている状態の時に外側から見える位置に設けられていることを特徴とする無線通信機の表示構造。
【発明の詳細な説明】
【技術分野】
【０００１】
　本発明は無線通信機に関し、特に表示器を有し、かつ第一筐体および第二筐体からなる折り畳み構造を有する無線通信機に関する。
【背景技術】
【０００２】
　従来、この種の無線通信機は、表示器を一カ所にしか備えていない。また、通常この表示器は、折り畳み構造を閉じた際に外側から見えない位置に設けられている。そのために、折り畳み構造を閉じた状態で着信を待ち受けている場合には、使用者は表示器に表示される電界強度表示、電池電圧表示および着信表示等の表示内容が確認できないという問題がある。
【０００３】
　この問題を解決するために、特開平６−３７６９７号公報には、図９に示すように、携帯電話機１が折り畳まれた状態では外部から見えない位置に第１表示器８を設けるとともに、折り畳んだ携帯電話機１を胸ポケットに入れて携帯している場合でも見ることができるように、アンテナ３を有する面に第２表示器１１を設けた無線通信機が開示されている。
【０００４】
　この携帯電話機１では、磁石１３によるリードスイッチ１２のオンオフにより携帯電話機１が折り畳まれているか否かが判断され、携帯電話機１が開いている時には選択回路１０が第１表示器８のみに電源を供給し、携帯電話機１が折り畳まれている時には選択回路１０が第２表示器１１のみに電源を供給する。このような携帯電話機によれば、携帯電話機１が折り畳まれた状態では、アンテナ３を有する面に設けられた第２表示器１１のみに電源が供給されるため、携帯電話機１が折り畳まれた状態においても、使用者は第２表示器１１から電界強度表示、電池電圧表示および着信表示等の重要な情報の確認が可能となる。
【０００５】
【特許文献１】特開平６−３７６９７号公報
【発明の開示】
【発明が解決しようとする課題】
【０００６】
　しかしながら、特開平６−３７６９７号公報記載の携帯電話機では、携帯電話機１が開いている時には、従来と同様第１表示器８のみに電源が供給されるため、携帯電話機１を開いた状態では、第１表示器８にしか文字表示ができないので、表示可能な文字情報量が少ないという問題がある。
【０００７】
　本発明の目的は、上記問題点に鑑み、無線通信機を開いた状態において、より多くの文字情報量を表示可能とする無線通信機を提供することにある。
【０００８】
　また、本発明の他の目的は、後に明確になるように、できる限り使用者の手間を軽減して、より多くの文字情報量を読み取り可能とする無線通信機を提供することにある。
【課題を解決するための手段】
【０００９】
　上記目的を達成するために、本発明の無線通信機は、無線信号を受信する無線部と、互いに折り畳み可能な第１の筐体および第２の筐体とを有し、第１の筐体および第２の筐体のいずれかに、第１の表示器および第２の表示器（又は第１の表示器、第２の表示器および第３の表示器）が設けられており、第１の筐体および第２の筐体が折り畳まれている状態の時に第２の表示器（又は第２の表示器および第３の表示器）が駆動され、第１の筐体および第２の筐体が開いている状態の時に第１の表示器および第２の表示器（又は第１の表示器，第２の表示器および第３の表示器）が駆動される。
【００１０】
　第１の筐体にスイッチを設け、第２の筐体にはスイッチをオンオフする凸部を設け、凸部によりスイッチがオンされた時に第１の筐体および第２の筐体が折り畳まれていると判断し、凸部によりスイッチがオフされた時に第１の筐体および第２の筐体が開いていると判断することが好ましい。
【００１１】
　また、第２の表示器（又は第２の表示器および第３の表示器）は、第１の筐体および第２の筐体が折り畳まれている状態の時に外側から見える位置に設けられている。第１の表示器は第１の筐体および第２の筐体のいずれかの正面に設けられ、第２の表示器（又は第２の表示器および第３の表示器）は正面に対する両側面のうち少なくとも一側面に設けられていることが好ましい。この場合、第１の表示器は、第２の表示器（又は第２の表示器および第３の表示器）を同時に見ることができる位置に設けられることが好ましく、正面と側面との筐体内部における角度が鈍角であることが好ましい。また、第１の表示器および第２の表示器（又は第１の表示器，第２の表示器および第３の表示器）に電力の供給を行うＴＡＢを設け、スイッチのオンオフによりＴＡＢが制御されることが好ましい。
【００１２】
　さらに、凸部によりスイッチがオンされた時に第２の表示器（又は第２の表示器および第３の表示器）が発光され、凸部によりスイッチがオフされた時第１の表示器および第２の表示器（又は第１の表示器，第２の表示器および第３の表示器）が発光されることが好ましい。この場合、第１の表示器および第２の表示器（又は第１の表示器，第２の表示器および第３の表示器）の発光はＥＬによって行われることが好ましい。なお、第２の表示器（又は第２の表示器および第３の表示器）に表示される情報は、スイッチのオンオフにより異なる。また、無線通信機は、携帯電話機であることが好ましい。
【発明の効果】
【００１３】
　本発明の無線通信機によれば、無線通信機が開いている状態の時に、第１表示器および第２表示器が表示可能であり、また第２表示器が第１表示器のサブ画面として使用することができるため、一度により多くの文字情報量を表示することができる。
【００１４】
　また、本発明の無線通信機によれば、無線通信機が折り畳まれている状態の時に、第２表示器が表示可能となるため、無線通信機を折り畳んだ状態でも、第２表示器により着信の有無や電池残量等を確認することができる。
【００１５】
　さらに、本発明の無線通信機によれば、無線通信機が開いている状態の時に、使用者は第１表示器３０を見るだけで、同時に第２表示器も見ることができるため、使用者の手間をできる限り軽減してより多くの文字情報量を読み取ることができる。
【発明を実施するための最良の形態】
【００１６】
　以下、本発明に係わる無線通信機の一実施の形態について、図面を参照して説明する。
【実施例１】
【００１７】
　図１は、本実施の形態に係る無線通信機、好ましくは携帯電話機の回路構成を示すブロック図である。
【００１８】
　図１において、無線部２５は、図示せぬ基地局からの無線信号をアンテナ２４を介して受信する。無線部２５が受信した受信信号は、制御部５３に出力される。制御部５３は、無線部２５からの受信信号を入力すると、図示せぬスピーカやバイブレータ等により使用者に着信を報知する。使用者によるキー操作部３５の操作によって、もしくは一定時間経過後自動的に着信報知が終了する。
【００１９】
　着信時制御部５３は、スイッチ２８からのオン信号もしくはオフ信号に応答してＴＡＢ２６とＴＡＢ４２のいずれか一方、もしくは両方へ電力および文字データの出力を行う制御信号を出力する。ＴＡＢ２６は、制御信号に応答して第１表示器３０を駆動し、ＴＡＢ４２は、制御信号に応答して第２表示器３１を駆動する。
【００２０】
　図２は、図１に示した携帯電話機２１の回路構成をより詳細に説明する回路配置図である。
【００２１】
　図２において、携帯電話機２１は、受話器２９を有する第１の筐体２２と、送話器３７を有する第２の筐体２３とがヒンジ部３２で互いに折り畳み可能な折り畳み構造を有している。
【００２２】
　受話器２９は、通話時に相手先の音声を外部出力し、送話器３７は、使用者が発する音声を入力する。図示しないが、受話器２９および送話器３７は、制御部３４と電気的に接続されている。
【００２３】
　スイッチ２８は、第２の筐体２３に設けられた凸部３６によりオンオフされ、オン信号もしくはオフ信号を制御部５３内の選択回路２７に出力する。制御部５３は、スイッチ２８からのオン信号に応答して電力および文字データの出力を行う制御信号を図示せぬＴＡ
Ｂ（tape  automated  bonding）４２へ出力する。また、制御部５３は、スイッチ２８からのオフ信号に応答して電力および文字データの出力を行う制御信号をＴＡＢ２６および４２へ出力する。
【００２４】
　電池３３は、携帯電話機２１全体へ電力を供給する。凸部３６は、第１の筐体２２に設けられているスイッチ２８のオンオフを行う。キー操作部３５は、テンキーやファンクションキー等使用者が押下するキーである。
【００２５】
　アンテナ２４、無線部２５、ＴＡＢ２６と、スイッチ２８と、受話器２９と、第１表示器３０と、第２表示器３１は、第１の筐体２２に配置されることが好ましく、選択回路２７と、電池３３と、キー操作部３５と、凸部３６と、送話器３７と、制御部３４は、第２の筐体に配置されることが好ましい。
【００２６】
　図３は、本実施の形態に係る携帯電話機２１の斜視図である。
【００２７】
　図３において、第１表示器３０は、第１の筐体２２および第２の筐体２３が互いに開いた状態で受話器２９、スイッチ２８がある正面に取り付けられている。一方、第２表示器３１は、第１表示器３０の両側のうち少なくとも片側に取り付けられており、好ましくは両側に取り付けられている。すなわち、第２表示器３１は、第１表示器３０が取り付けられた第１の筐体２２の正面に対する両側面のうち少なくとも片側面に取り付けられており、好ましくは両側面に取り付けられている。
【００２８】
　以下、本発明では、両側面のうち一側面に設けられた第２表示器３１および両側面に設けられた第２表示器３１を「第２表示器３１」として統一して述べることとするが、これに代えて、両側面に設けられた一対の第２表示器３１の一方を「第２の表示器」、他方を「第３の表示器」とすることも本発明の技術的思想に含まれる。
【００２９】
　従って、第１の筐体２２および第２の筐体２３が、ヒンジ部３２を中心にして互いに折り畳まれると、第１表示器３０は見えなくなり、第２表示器３１のみが見える状態となる。
【００３０】
　スイッチ２８は、第１の筐体２２および第２の筐体２３を折り畳んだときに、第２の筐体２３に設けられた凸部３６と略一致する位置に設けられており、携帯電話機２１を折り畳んだ状態の時には、凸部３６によりスイッチ２８がオンされ、携帯電話機２１を開いた状態の時には、スイッチ２８がオフされる。
【００３１】
　図２に戻って、スイッチ２８がオンすると、スイッチ２８からオン信号が制御部３４内の選択回路２７に出力される。制御部３４は、スイッチ２８からのオン信号を入力すると、第２表示器３１を駆動させる制御信号がＴＡＢ４２に出力されるため、第２表示器３１のみが表示されることになる。
【００３２】
　図４は、図３におけるＡ−Ａ線で切断した時の断面図である。
【００３３】
　図４において、第１表示器３０は、ヒートシール４１によってＴＡＢ２６に接続されており、第２表示器３１は、ヒートシール４１によってＴＡＢ４２に接続されている。
【００３４】
　また、第１の筐体において、第１表示器３０を有する面と、第２表示器を有する面との筐体内部における角度は鈍角になっている。このようにして、使用者は第１表示器３０を見るだけで、同時に第２表示器３１も見ることができる。
【００３５】
　第１表示器３０には、携帯電話機を開いた状態の時には、着信時や通話時に図５（ａ）に示すような相手先電話番号を表示し、着信待ち受け時に図５（ｂ）に示すような日付、曜日および現在時刻等を表示するなど通常の携帯電話機２１に使用される基本的な内容を表示する。
【００３６】
　第２表示器３１は、携帯電話機２１を折り畳んだ状態の時には、図６（ａ）に示すような日付及び曜日や、図６（ｂ）に示すような着信がある旨等を表示する。一方、携帯電話機２１を開いた状態の時には、第１表示器３０のサブ画面として、図６（ｃ）に示すような通話時間や、図６（ｄ）に示すような電池残量等を表示する。また、図示せぬＲＡＭを用いたメモリ機能により通話相手先をグループ分けしている場合には、図６（ｅ）に示すように、通話相手先がどのグループのどこに格納されているかを表示してもよい。さらに、第２表示器３１では、キー操作部３５もしくは他の部分にスクロールボタンを設けることにより、一つの画面では表示できない長いメッセージ、例えば「０７／１４（ＭＯＮ）１５：００  チャクシンアリ」をスクロール表示させることも可能である。携帯電話機２１を開いた状態での第１表示器３０および第２表示器３１の表示例としては、通話時に第１表示器３０には、図５（ａ）に示すような相手先電話番号を表示し、第２表示器３１には、図６（ｃ）に示すような通話時間と、図６（ｄ）に示すような電池残量を表示する。
【００３７】
　次に、本実施の形態に係る携帯電話機２１の動作を詳細に説明する。
【００３８】
　第１の筐体２２および第２の筐体２３が折り畳まれている状態の時には、第２の筐体２３に設けられた凸部３６によりスイッチ２８がオンされ、スイッチ２８はオン信号を制御部３４内の選択回路２７に出力する。制御部３４は、スイッチ２８からのオン信号を入力すると、第２表示器３１を駆動させる制御信号をＴＡＢ４２に出力する。ＴＡＢ４２は、制御部３４からの制御信号を入力すると、第２表示器３１に駆動信号を出力する。したがって、携帯電話機２１を折り畳んでいる状態の時には、第２表示器３１のみが表示されることになる。
【００３９】
　一方、第１の筐体２２および第２の筐体２３をヒンジ部３２を中心にして開いている状態の時には、スイッチ２８がオフ信号を制御部３４内の選択回路２７に出力する。制御部３４は、スイッチ２８からのオフ信号を入力すると、第１表示器３０を駆動させる制御信号をＴＡＢ２６に出力するとともに、第２表示器３１を駆動させる制御信号をＴＡＢ４２に出力する。ＴＡＢ２６は、制御部３４からの制御信号を入力すると、第１表示器３０に駆動信号を出力し、ＴＡＢ４２は、制御部３４からの制御信号を入力すると、第２表示器３１に駆動信号を出力する。したがって、携帯電話機２１を開いている状態の時には、第１表示器３０および第２表示器３１の双方が表示されることになる。通話時には、例えば、第１表示器３０に、図５（ａ）に示すような相手先電話番号を表示し、第２表示器３１の一方に、図６（ｃ）に示すような通話時間を表示し、第２表示器３１の他方に、図６（ｄ）に示すような電池残量を表示することにより、使用者は通話相手先に対する通話時間及び電池残量を通話時に、瞬時に確認することができる。
【実施例２】
【００４０】
　図７は、本発明の他の実施の形態に係る無線通信機、好ましくは携帯電話機の回路構成を示すブロック図である。図７において、図１に示した携帯電話機２１と同一の構成要素については同一の参照番号が付されている。本実施例の携帯電話機２１では、図１に示した携帯電話機２１に、ＥＬ（electro  luminescentlight）５１および５５ と、ＥＬドライバ５２および５４を追加した構成としている。ＥＬ５１および５５は、第１表示器３０および第２表示器３１のそれぞれに取り付けられ、第１表示器３０および第２表示器３１を発光させる。ＥＬドライバ５２および５４は、ＥＬ５１および５５に電力の供給を行う。図８は、図７に示した携帯電話機２１の動作を詳細に説明する図である。
【００４１】
　図８において、第１の筐体２２および第２の筐体２３が折り畳まれている状態の時には、第２の筐体２３に設けられた凸部３６によりスイッチ２８がオンされ、スイッチ２８はオン信号を制御部５３内の選択回路２７に出力する。制御部５３は、スイッチ２８からのオン信号を入力すると、第２表示器３１のみを駆動させる制御信号をＴＡＢ４２に出力するとともに、第２表示器３１に取り付けられたＥＬ５５のみを駆動させる制御信号をＥＬドライバ５４に出力する。ＴＡＢ４２は、制御部５３からの制御信号を入力すると、第２表示器３１のみに駆動信号を出力する。また、ＥＬドライバ５４は、制御部５３からの制御信号を入力すると、第２表示器３１に取り付けられたＥＬ５５のみに駆動信号を出力する。したがって、携帯電話機２１を折り畳んでいる状態の時には、第２表示器３１のみが表示され、かつ発光されることになる。
【００４２】
　一方、第１の筐体２２および第２の筐体２３をヒンジ部３２を中心にして開いている状態の時には、スイッチ２８がオフ信号を制御部５３内の選択回路２７に出力する。制御部５３は、スイッチ２８からのオフ信号を入力すると、第１表示器３０および第２表示器３１を駆動させる制御信号をＴＡＢ２６および４２に出力するとともに、第１表示器および第２表示器に取り付けられたＥＬ５１および５５を駆動させる制御信号をＥＬドライバ５２および５４に出力する。ＴＡＢ２６及び４２は、制御部５３からの制御信号を入力すると、第１表示器３０および第２表示器３１に駆動信号を出力する。また、ＥＬドライバ５２および５４は、制御部５３からの制御信号を入力すると、第１表示器３０および第２表示器３１に取り付けられたＥＬ５１および５５に駆動信号を出力する。したがって、携帯電話機２１を開いている状態の時には、第１表示器３０および第２表示器３１の双方が表示され、かつ発光されることになる。
【００４３】
　本実施の形態の携帯電話機２１では、携帯電話機２１を開いている状態の時に第１表示器３０及び第２表示器３１を発光させ、携帯電話機２１を折り畳んだ状態の時に第２表示器３１を発光させることにより、第１表示器３０および第２表示器３１をより見やすくすることもできる。
【００４４】
　本発明の無線通信機は、上記実施の形態に限定されるものではない。例えば、本実施の形態の無線通信機では、第１の筐体２２に第１表示器３０および第２表示器３１を設けた構成としているが、第２の筐体２３に第１表示器３０および第２表示器３１を設けた構成としてもよい。要は、第１表示器３０および第２表示器３１が隣接していればよい。
【００４５】
　また、本発明の無線通信機は、携帯電話機を例にして説明したが、携帯情報端末や表示部を覆うカバーを有する無線選択呼出受信機に適用しても何ら問題はない。
【図面の簡単な説明】
【００４６】
【図１】本発明による携帯電話機２１の回路構成を示すブロック図である。
【図２】本発明による携帯電話機２１の回路構成をより詳細に説明する回路配置図である。
【図３】本発明による携帯電話機２１の斜視図である。
【図４】本発明による携帯電話機２１のＡ−Ａ断面図である。
【図５】本発明による第１表示器３０の表示例を示す図である。
【図６】本発明による第２表示器３１の表示例を示す図である。
【図７】本発明の他の実施の形態による携帯電話機２１の回路構成を示すブロック図である。
【図８】本発明の他の実施の形態による携帯電話機２１の動作を説明する図である。
【図９】従来の携帯電話機の回路構成を示すブロック図である。
【符号の説明】
【００４７】
　　　１　　　携帯電話機
　　　１ａ　　第１の筐体
　　　１ｂ　　第２の筐体
　　　２　　　ヒンジ部
　　　３　　　アンテナ
　　　４　　　無線部
　　　５　　　制御部
　　　６　　　キー操作部
　　　７　　　電池
　　　８　　　第一表示器
　　　９　　　表示器ドライバ
　　　１０　　選択回路
　　　１１　　第２表示器
　　　１２　　リードスイッチ
　　　１３　　磁石
　　　１４　　マイクロホン
　　　１５　　スピーカ
　　　２１　　携帯電話機
　　　２２　　第１の筐体
　　　２３　　第２の筐体
　　　２４　　アンテナ
　　　２５　　無線部
　　　２６　　ＴＡＢ
　　　２７　　選択回路
　　　２８　　スイッチ
　　　２９　　受話器
　　　３０　　第一表示器
　　　３１　　第二表示器
　　　３２　　ヒンジ部
　　　３３　　電池
　　　３４　　制御部
　　　３５　　キー操作部
　　　３６　　凸部
　　　３７　　送話器
　　　４１　　ヒートシール
　　　４２　　ＴＡＢ
　　　５１　　ＥＬ
　　　５２　　ＥＬドライバ
　　　５３　　制御部
　　　５４　　ＥＬドライバ
【図１】
2004048781.tif 000003
【図２】
2004048781.tif 000004
【図３】
2004048781.tif 000005
【図４】
2004048781.tif 000006
【図５】
2004048781.tif 000007
【図６】
2004048781.tif 000008
【図７】
2004048781.tif 000009
【図８】
2004048781.tif 000010
【図９】
2004048781.tif 000011